(57)【要約】冷却ユニット内の無線周波数識別（ＲＦＩＤ）タグを読み取り、ＲＦＩＤ情報を送信および分析するためのシステムおよび方法が提供される。方法は、各々がＲＦＩＤタグでタグ付けされている１つまたは複数の製品について、ＲＦＩＤリーダを用いて冷却ユニットをスキャンすること、ＲＦＩＤリーダを用いて、１つまたは複数の製品の各々についてＲＦＩＤタグから情報を収集すること、１つまたは複数のリモートサーバに情報を送信すること、１つまたは複数のリモートサーバを用いて、情報を分析すること、１つまたは複数のリモート電子デバイスを用いて、分析された情報にアクセスすることを含む。
2020501244.tif 000002
【特許請求の範囲】
【請求項１】
冷却ユニット内の無線周波数識別（ＲＦＩＤ）タグを読み取り、ＲＦＩＤ情報を送信および分析するための方法であって、
１つまたは複数の製品について、ＲＦＩＤリーダを用いて冷却ユニットをスキャンすることであって、前記１つまたは複数の製品の各々は、ＲＦＩＤタグでタグ付けされている、前記スキャンすること、
前記ＲＦＩＤリーダを用いて、前記１つまたは複数の製品の各々について前記ＲＦＩＤタグから情報を収集すること、
前記情報を１つまたは複数のリモートサーバに送信すること、
前記１つまたは複数のリモートサーバを用いて前記情報を分析すること、
１つまたは複数のリモート電子デバイスを用いて、分析された情報にアクセスすること
を含む方法。
【請求項２】
１つまたは複数のリモートデータサーバを用いて、分析されたデータをさらに分析することをさらに含む、請求項１に記載の方法。
【請求項３】
前記１つまたは複数のリモートデータサーバを用いて、前記情報のさらなる分析に基づいて、１または複数のユーザに１つまたは複数のアラートを送信することをさらに含む、請求項２に記載の方法。
【請求項４】
１つまたは複数のアラートが送信される好ましい方法を選択することをさらに含む、請求項３に記載の方法。
【請求項５】
前記情報は、製品名、包装日、販売期限、有効期限、および供給からなる群から選択される、請求項１に記載の方法。
【請求項６】
前記１つまたは複数のリモート電子デバイスは、デスクトップコンピュータ、ラップトップコンピュータ、タブレットコンピュータ、およびスマートフォンからなる群から選択される、請求項１に記載の方法。
【請求項７】
前記冷却ユニットをスキャンすることは、所定の時間間隔で前記冷却ユニットをスキャンすることをさらに含む、請求項１に記載の方法。
【請求項８】
前記ＲＦＩＤリーダが前記冷却ユニットをスキャンする時間間隔を決定することをさらに含む、請求項７に記載の方法。
【請求項９】
前記送信することは、無線送信方法を用いて実行される、請求項１に記載の方法。
【請求項１０】
前記無線送信方法は、ＷｉＦｉおよびＢｌｕｅｔｏｏｔｈ低エネルギー送信からなる群から選択される、請求項９に記載の方法。
【請求項１１】
冷却ユニット内の無線周波数識別（ＲＦＩＤ）タグを読み取り、ＲＦＩＤ情報を送信および分析するためのシステムであって、
各々がＲＦＩＤタグでタグ付けされた１つまたは複数の製品について冷却ユニットをスキャンし、前記１つまたは複数の製品の各々について前記ＲＦＩＤタグから情報を収集するように構成されたＲＦＩＤリーダと、
前記情報を分析するように構成された１つまたは複数のリモートサーバに前記情報を送信するように構成された送信機と、
分析された情報にアクセスするように構成された１つまたは複数のリモート電子デバイスと
を備えるシステム。
【請求項１２】
分析されたデータをさらに分析するように構成された１つまたは複数のリモートデータサーバをさらに備える、請求項１１に記載のシステム。
【請求項１３】
前記１つまたは複数のリモートデータサーバは、前記情報のさらなる分析に基づいて、１つまたは複数のアラートを１または複数のユーザに送信するようにさらに構成されている、請求項１２に記載のシステム。
【請求項１４】
前記１つまたは複数のリモート電子デバイスは、前記１つまたは複数のアラートが送信される好ましい方法をユーザが選択することを可能にするように構成されている、請求項１３に記載のシステム。
【請求項１５】
前記情報は、製品名、包装日、販売期限、有効期限、および供給からなる群から選択される、請求項１１に記載のシステム。
【請求項１６】
前記１つまたは複数のリモート電子デバイスは、デスクトップコンピュータ、ラップトップコンピュータ、タブレットコンピュータ、およびスマートフォンからなる群から選択される、請求項１に記載のシステム。
【請求項１７】
前記ＲＦＩＤリーダは、所定の時間間隔で前記冷却ユニットをスキャンすることによって、前記冷却ユニットをスキャンするように構成されている、請求項１に記載のシステム。
【請求項１８】
前記ＲＦＩＤリーダは、少なくとも１つのプロセッサと少なくとも１つのメモリとをさらに含む、請求項１７に記載のシステム。
【請求項１９】
前記送信機は、無線送信方法を実行するように構成されている、請求項１１に記載のシステム。
【請求項２０】
前記無線送信方法は、ＷｉＦｉおよびＢｌｕｅｔｏｏｔｈ低エネルギー送信からなる群から選択される、請求項１９に記載のシステム。
【発明の詳細な説明】
【技術分野】
【０００１】
本発明は、識別タグリーダに関し、特に、隣接する製品をスキャンして在庫識別（ＩＤ）を１つまたは複数のセカンダリデバイスに送信する内部管理機能を有する無線周波数識別（ＲＦＩＤ）リーダアセンブリに関する。
【背景技術】
【０００２】
家庭用に購入された食品の多くは、冷却ユニット（例えば、冷蔵庫や冷凍庫など）に貯蔵される。しかしながら、貯蔵されている製品に関する有効期限および他の情報をすぐに見るためには、これらの冷却ユニットを開けて探索しなければならないので、冷却ユニットに貯蔵されている製品の有効期限および他の関連する日付はしばしばチェックされない。これは、食品廃棄物や、期限切れおよび／または傷んだ食品の消費による病気の可能性につながる。
【０００３】
したがって、少なくともこれらの理由から、家庭用冷蔵製品に関する情報を容易に読み取り、この情報を１つまたは複数のセカンダリデバイスに送信することができるシステムおよび方法が必要とされている。そのようなシステムおよび方法は、製品の有効期限に関連する食品廃棄物を減らすために使用することができ、より一般的には家庭の食品在庫を管理するために使用することができる。
【０００４】
関連技術の例を以下に記載する。
特許文献１は、貯蔵スペースに置かれた店舗アイテムを追跡するためのシステムを記載している。このシステムは、ＲＦＩＤタグが取り付けられている少なくとも１つの店舗アイテムが、少なくとも１つの無線ＲＦＩＤリーダの問合せ範囲内にあるように貯蔵スペース内に分散された複数の無線ＲＦＩＤリーダを含む。このシステムは、複数の無線ＲＦＩＤリーダと無線通信して、少なくとも１つの店舗アイテムに取り付けられたＲＦＩＤタグから複数の無線ＲＦＩＤリーダによって収集された情報を取得するように動作する監視サーバをさらに含む。
【０００５】
上述の技術のいずれも、本発明が対処する全ての問題に対処していない。
【先行技術文献】
【特許文献】
【０００６】
【特許文献１】米国特許第８０７７０４１号明細書
【発明の概要】
【０００７】
本発明の一態様によれば、冷却ユニット内の無線周波数識別（ＲＦＩＤ）タグを読み取り、ＲＦＩＤ情報を送信および分析するための方法が提供される。方法は、各々がＲＦＩＤタグでタグ付けされている１つまたは複数の製品について、ＲＦＩＤリーダを用いて冷却ユニットをスキャンすること、ＲＦＩＤリーダを用いて、１つまたは複数の製品の各々についてＲＦＩＤタグから情報を収集すること、１つまたは複数のリモートサーバに情報を送信すること、１つまたは複数のリモートサーバを用いて、情報を分析すること、１つまたは複数のリモート電子デバイスを用いて、分析された情報にアクセスすることを含む。
【０００８】
本発明の目的は、冷却ユニット内のＲＦＩＤタグを読み取り、ＲＦＩＤ情報を送信および分析するための方法を提供することであり、方法は、１つまたは複数のリモートデータサーバを用いて、分析されたデータを分析することをさらに含む。
【０００９】
本発明の目的は、冷却ユニット内のＲＦＩＤタグを読み取り、ＲＦＩＤ情報を送信および分析するための方法を提供することであり、方法は、１つまたは複数のリモートデータサーバを用いて、情報のさらなる分析に基づいて１または複数のユーザに１つまたは複数のアラートを送信することをさらに含む。
【００１０】
本発明の目的は、冷却ユニット内のＲＦＩＤタグを読み取り、ＲＦＩＤ情報を送信および分析するための方法を提供することであり、方法は、１つまたは複数のアラートが送信される好ましい方法を選択することをさらに含む。
【００１１】
本発明の目的は、冷却ユニット内のＲＦＩＤタグを読み取り、ＲＦＩＤ情報を送信および分析するための方法を提供することであり、情報は、製品名、包装日、販売期限、有効期限、および供給からなる群から選択される。
【００１２】
本発明の目的は、冷却ユニット内のＲＦＩＤタグを読み取り、ＲＦＩＤ情報を送信および分析するための方法を提供することであり、１つまたは複数のリモート電子デバイスは、デスクトップコンピュータ、ラップトップコンピュータ、タブレットコンピュータ、およびスマートフォンからなる群から選択される。
【００１３】
本発明の目的は、冷却ユニット内のＲＦＩＤタグを読み取り、ＲＦＩＤ情報を送信および分析する方法を提供することであり、冷却ユニットをスキャンすることは、所定の時間間隔で冷却ユニットをスキャンすることをさらに含む。
【００１４】
本発明の目的は、冷却ユニット内のＲＦＩＤタグを読み取り、ＲＦＩＤ情報を送信および分析する方法を提供することであり、方法は、ＲＦＩＤリーダが冷却ユニットをスキャンする時間間隔を判定することを含む。
【００１５】
本発明の目的は、冷却ユニット内のＲＦＩＤタグを読み取り、ＲＦＩＤ情報を送信および分析する方法を提供することであり、送信することは、無線送信方法を用いて行われる。
【００１６】
本発明の目的は、冷却ユニット内のＲＦＩＤタグを読み取り、ＲＦＩＤ情報を送信および分析する方法を提供することであり、無線送信方法は、ＷｉＦｉ（登録商標）およびＢｌｕｅｔｏｏｔｈ（登録商標）低エネルギー送信からなる群から選択される。
【００１７】
本発明の別の態様によれば、冷却ユニット内のＲＦＩＤタグを読み取り、ＲＦＩＤ情報を送信および分析するためのシステムが提供される。システムは、ＲＦＩＤリーダを含み、ＲＦＩＤリーダは、１つまたは複数の製品について冷却ユニットをスキャンするように構成されており、１つまたは複数の製品の各々は、ＲＦＩＤタグでタグ付けされており、ＲＦＩＤリーダは、１つまたは複数の製品の各々についてＲＦＩＤタグから情報を収集するように構成されている。システムは、情報を分析するように構成された１つまたは複数のリモートサーバに情報を送信するように構成された送信機と、分析された情報にアクセスするように構成された１つまたは複数のリモート電子デバイスとをさらに含む。
【００１８】
本発明の目的は、冷却ユニット内のＲＦＩＤタグを読み取り、ＲＦＩＤ情報を送信および分析するためのシステムを提供することであり、システムは、分析されたデータをさらに分析するように構成された１つまたは複数のリモートデータサーバをさらに含む。
【００１９】
本発明の目的は、冷却ユニット内のＲＦＩＤタグを読み取り、ＲＦＩＤ情報を送信および分析するためのシステムを提供することであり、１つまたは複数のリモートデータサーバは、情報のさらなる分析に基づいて１または複数のユーザに１つまたは複数のアラートを送信するようにさらに構成されている。
【００２０】
本発明の目的は、冷却ユニット内のＲＦＩＤタグを読み取り、ＲＦＩＤ情報を送信および分析するためのシステムを提供することであり、１つまたは複数のリモート電子デバイスは、ユーザが、１つまたは複数のアラートが送信される好ましい方法を選択することを可能とするように構成されている。
【００２１】
本発明の目的は、冷却ユニット内のＲＦＩＤタグを読み取り、ＲＦＩＤ情報を送信および分析するためのシステムを提供することであり、情報は、製品名、包装日、販売期限、有効期限、および供給からなる群から選択される。
【００２２】
本発明の目的は、冷却ユニット内のＲＦＩＤタグを読み取り、ＲＦＩＤ情報を送信および分析するためのシステムを提供することであり、１つまたは複数のリモート電子デバイスは、デスクトップコンピュータ、ラップトップコンピュータ、タブレットコンピュータ、およびスマートフォンからなる群から選択される。
【００２３】
本発明の目的は、冷却ユニット内のＲＦＩＤタグを読み取り、ＲＦＩＤ情報を送信および分析するシステムを提供することであり、ＲＦＩＤリーダは、所定の時間間隔で冷却ユニットをスキャンすることにより冷却ユニットをスキャンするように構成されている。
【００２４】
本発明の目的は、冷却ユニット内のＲＦＩＤタグを読み取り、ＲＦＩＤ情報を送信および分析するためのシステムを提供することであり、ＲＦＩＤリーダは、少なくとも１つのプロセッサと、少なくとも１つのメモリとをさらに含む。
【００２５】
本発明の目的は、冷却ユニット内のＲＦＩＤタグを読み取り、ＲＦＩＤ情報を送信および分析するためのシステムを提供することであり、送信機は、無線送信方法を実行するように構成されている。
【００２６】
本発明の目的は、冷却ユニット内のＲＦＩＤタグを読み取り、ＲＦＩＤ情報を送信および分析するためのシステムを提供することであり、無線送信方法は、Ｗｉ−ＦｉおよびＢｌｕｅｔｏｏｔｈ低エネルギー送信からなる群から選択される。
【図面の簡単な説明】
【００２７】
【図１】本発明の一実施形態によるＲＦＩＤ読み取りおよび情報送信システムを示す図である。
【図２】本発明の一実施形態による、１つまたは複数のＲＦＩＤタグを読み取り、１つまたは複数のＲＦＩＤタグからの情報を送信する方法を示す図である。
【発明を実施するための形態】
【００２８】
以下、本発明の実施形態について図面を参照しながら説明する。様々な図中の同一の要素は、同じ参照番号で識別されている。
本発明の各実施形態について詳細に言及する。このような実施形態は、本発明の説明のために提供されており、本発明をそれらに限定することを意図するものではない。実際、当業者は、本明細書を読み、図面を見れば、様々な修正および変更をそれに加えることができることを理解するであろう。
【００２９】
一実施形態によれば、製品の有効期限に関連する食品廃棄物を減らすために使用することができ、より一般的には家庭の食品在庫を管理するために使用することができるシステムおよび方法が提供される。
【００３０】
図１を参照すると、本発明の一実施形態によるＲＦＩＤ読み取りおよび情報送信システム１００が例示的に示されている。
一実施形態によれば、提案されたシステム１００は、互いに組み合わせられた２つの部分を含む。一実施形態によれば、第１の部分は、ＲＦＩＤリーダ１０５を含み、ＲＦＩＤリーダ１０５は、その動作のためのスケジューラを含む。一実施形態によれば、システム１００は、消費者がスケジューラのスキャン間隔を変更できるように構成されている。一実施形態によれば、ＲＦＩＤリーダ１０５は、少なくとも１つのプロセッサおよび／またはメモリをさらに含む。
【００３１】
一実施形態によれば、第２の部分は、送信装置１１０を含み、システムは、ユーザが使用される送信方法を選択することができるように構成されている。一実施形態によれば、送信方法は、無線方法（例えば、ＷｉＦｉ、Ｂｌｕｅｔｏｏｔｈ低エネルギー（ＢＬＥ）、および／または任意の他の適切な無線送信方法）である。一実施形態によれば、送信方法は、有線方法を含む。一実施形態によれば、ＷｉＦｉおよびＢＬＥが、データ送信のための好ましい方法である。しかし、本発明の技術思想を維持しながら、他のデータ送信方法も使用できることに留意されたい。一実施形態によれば、送信装置１１０は、送信機および／または送受信機であってよい。
【００３２】
一実施形態によれば、システムは、冷却ユニット１１５（例えば、冷蔵庫、冷凍庫、および／または任意の他の適切な冷却装置）を含む。一実施形態によれば、冷却ユニット１１５は、食品貯蔵コンテナとして機能するように構成されている。
【００３３】
一実施形態によれば、冷却ユニットは、１つまたは複数の食品１２０を収容するように構成されている。一実施形態によれば、１つまたは複数の食品１２０のうちの１つまたは複数は、ＲＦＩＤタグ１２５を含む。一実施形態によれば、１つまたは複数の食品１２０は、冷却ユニット１１５に貯蔵される前にＲＦＩＤタグ１２５を受け取る。このタグ付けプロセスは、例えば生産ライン上で、小売店において、および／または任意の他の適切な時点で、かつ１つまたは複数の製品１２０にタグ付けする任意の適切な方法を用いて行われ得る。
【００３４】
冷却ユニット１１５に貯蔵されるべき１つまたは複数の製品１２０上にＲＦＩＤタグを配置する例示的な方法は、２つの部分を含むシステムを組み込むことを含み得る。一実施形態によれば、第１の部分は、１つまたは複数の液体を保持するように構成されたコンテナ（例えば、乳製品パッケージ）上に、ポリカプロラクトン（または他の低融点プラスチックまたは他の適切な材料）および接着剤の混合物を注入する注入弁を含む。一実施形態によれば、注入された混合物は、コンテナ（例えば、乳製品パッケージ）と受動ＲＦＩＤタグとの間に約２〜５ミリメートルの間隔を可能にする方法で別個の量で注がれている。一実施形態によれば、この間隔は、タグの応答能力を有効にするために、ＲＦＩＤタグとパッケージ内部の液体質量（wet mass）との間に絶縁層を形成するために極めて重要である。一実施形態によれば、本発明の第２の部分は、既に注入された混合物上にＲＦＩＤラベルを貼り付ける方法である。
【００３５】
一実施形態によれば、ＲＦＩＤタグ付けシステムは、正確なプラスチック射出成形ツールと共に、利用可能な接着剤と、低融点プラスチックを組み合わせるアプローチに基づいている。これは、乳製品食品パッケージ内の液体質量を分離することができる数ミリメートルの「間隔」を作成するために使用され、パッシブＲＦＩＤタグは、８６０ＭＨｚと９６０ＭＨｚとの間の周波数を有する。この分離は、タグがリモートリーダまたはライタに反応するために必要である。
【００３６】
一実施形態によれば、ＲＦＩＤリーダ１０５および送信装置１１０は、冷却ユニット１１５の内面に結合されている。一実施形態によれば、ＲＦＩＤリーダ１０５は、１つまたは複数の製品１２０から情報を読み取るように構成されており、１つまたは複数の製品１２０は、その上に配置されたＲＦＩＤタグ１２５を有し、冷却ユニット１１５に収容されている。この情報は、例えば、製品名、包装日、販売期限、有効期限、冷却ユニット１１５内での供給、および／または他の任意の適切な情報などの情報を含み得る。
【００３７】
一実施形態によれば、通信送信装置１１０は、この情報の全部または一部を１つまたは複数のセカンダリデバイス１３０に送信するように構成されている。一実施形態によれば、これらの１つまたは複数のセカンダリデバイス１３０は、例えばデスクトップコンピュータ、ラップトップコンピュータ、タブレットコンピュータ、スマートフォン、および／または任意の他の適切な電子デバイスを含み得る。一実施形態によれば、この情報は、リアルタイムで１つまたは複数の電子デバイス１３０に送信される。これにより、消費者は、リアルタイムで、かつ従前のシステムおよび方法よりもスマートな方法で、食品廃棄物および食品在庫を管理することができ、したがって既存の技術を改善することができる。
【００３８】
一実施形態によれば、システム１００は、有線接続および／または無線接続を介して送信装置１１０に結合された１つまたは複数のリモートサーバ１３５をさらに含む。一実施形態によれば、１つまたは複数のリモートサーバ１３５は、１つまたは複数の冷却ユニット１１５および／または１つまたは複数の食品１２０から受信した任意のメタデータを集約および分析するように構成されている。一実施形態によれば、１つまたは複数のリモートサーバ１３５がメタデータを集約および分析すると、１つまたは複数のリモートサーバは、データをグローバルに使用して、家庭の食品廃棄物を減らし、食品在庫を管理することができる。
【００３９】
一実施形態によれば、ユーザは、１つまたは複数のセカンダリデバイス１３０を用いて、１つまたは複数のリモートサーバ１３５からの１つまたは複数のデータにアクセスすることができる。一実施形態によれば、ユーザは、１つまたは複数のセカンダリデバイス１３０上のデジタルアプリケーションを用いて、１つまたは複数のリモートサーバ１３５からの情報にアクセスする。一実施形態によれば、ユーザは、デジタルアプリケーションを用いて、情報を閲覧することができ、情報は、食品の鮮度を反映し、ユーザが既存の在庫または不足している在庫を管理することを可能にする。
【００４０】
一実施形態によれば、システム１００は、家庭用冷蔵庫１１５内に位置する任意のエンドポイントからデータを受信し、集約し、そして分析するように構成された１つまたは複数のデータサーバ１４０をさらに含み得る。次いで、１つまたは複数のデータサーバ１４０は、データ用いて、使い果たされた製品１２０および／または期限切れに近づいている製品１２０についてユーザに警告することができる。
【００４１】
図２を参照すると、本発明の実施形態による、１つまたは複数のＲＦＩＤタグ１２５を読み取り、１つまたは複数のＲＦＩＤタグ１２５からの情報を送信するための方法２００が例示的に示されている。
【００４２】
ステップ２０５において、ユーザは、ＲＦＩＤリーダ１０５と送信機１１０とを設定する。一実施形態によれば、ユーザ設定は、任意の自動スキャン間隔を定義することを含む。一実施形態によれば、ユーザ設定は、好ましい通信方法を定義することを含む。好ましい通信方法は、電子メール、テキストメッセージング、デジタルアプリケーション通知、および／または任意の他の適切な通知方法であり得る。
【００４３】
ステップ２１０において、ＲＦＩＤリーダ１０５は、冷却ユニット１１５の内容物をスキャンし、ＲＦＩＤタグ１２５を含む冷却ユニット内の１つまたは複数の製品１２０から情報を収集する。一実施形態によれば、ＲＦＩＤリーダ１０５は、ユーザがＲＦＩＤリーダ１０５を設定したときに設定された間隔で冷却ユニット１１５の内容物をスキャンする。一実施形態によれば、スキャン中に収集された情報は、１つまたは複数のリモートサーバ１３５に送信される前に、ＲＦＩＤスキャナ１０５のメモリに格納される。
【００４４】
ステップ２１５において、ＲＦＩＤリーダ１０５によって収集されたデータは、１つまたは複数のリモートサーバ１３５に送信され、ステップ２２０において、データは集約され分析される。一実施形態によれば、データは、有線および／または無線接続（例えば、ＷｉＦｉ、ＢＬＥなど）を介して１つまたは複数のリモートサーバ１３５に送信される。
【００４５】
ステップ２２５において、ユーザは、集約され分析されたデータにアクセスする。一実施形態によれば、ユーザは、１つまたは複数のセカンダリ電子デバイス１３０を用いてデータにアクセスする。一実施形態によれば、１つまたは複数のセカンダリ電子デバイスは、それぞれ、１つまたは複数のプロセッサ１３４および／または１つまたは複数のメモリ１３６を含むことができる。
【００４６】
ステップ２３０において、ＲＦＩＤリーダ１０５および／または１つまたは複数のリモートサーバ１３５からのデータは、１つまたは複数のデータサーバ１４０によって分析される。一実施形態によれば、１つまたは複数のデータサーバ１４０による分析に基づいて、ステップ２３５において、１つまたは複数のアラートが、１つまたは複数のセカンダリ電子デバイス１３０上の１または複数のユーザに送信され得る。一実施形態によれば、１つまたは複数のリモートサーバ１３５および１つまたは複数のデータサーバ１４０は、同じサーバである。一実施形態によれば、１つまたは複数のリモートサーバ１３５および１つまたは複数のリモートデータサーバ１４０は、別個のサーバである。
【００４７】
本システムおよび方法は、様々な製品と共に使用され得る。例えば、一実施形態によれば、以前にＲＦＩＤラベル１２５でタグ付けされたホワイトチーズパッケージ１２０が、家庭用冷蔵庫１１５の内側に配置され得る。一実施形態によれば、ＲＦＩＤリーダ１０５は、設定された長さの分（時間）ごとに自動的に製品１２０の有効期限を読み取り、そのデータをそのまま製品メタデータを保持するリモートサーバ１３５に送信する。その後、データはユーザのモバイルアプリケーションを介してユーザにプッシュされる。そのようなデータは、例えば、「期限切れになりそうなチョコレートミルクがあります。飲むか、寄付して下さい」、および／または任意の他の適切なデータであり得る。
【００４８】
本開示の要素またはその実施形態を紹介するとき、「ある（a, an）」および「その（the）」という用語は、１つまたは複数の要素があることを意味することを意図している。同様に、形容詞「もう一方（another）」は、要素を紹介するのに使用されるとき、１つまたは複数の要素を意味することを意図している。「含む」および「有する」という用語は、列挙された要素以外の追加の要素があり得るように包括的であることを意図している。
【００４９】
本発明をある程度詳細に説明してきたが、本開示は例示のためにのみなされたものであり、部品の構造および配置の細部における多数の変更が、発明の技術思想および範囲から逸脱することなく用いられ得ることを理解されたい。
【図１】
2020501244.tif 000003
【図２】
2020501244.tif 000004
【国際調査報告】
2020501244.tif 000005
2020501244.tif 000006